(57)【要約】【課題】燃料タンク内への搭載時にフィルタとタンク開口部とが接触し難く、搭載性の優れたフィルタ構造を有する燃料ポンプを提供する。【解決手段】フィルタ８が燃料ポンプ１の下側軸方向から装着されるとともにフィルタ部１０がポンプ部１ｂ外周を包囲するよう構成されているので、従来に比べ横方向の長さが短くなり燃料タンク１１への搭載時に、フィルタ部１０が燃料タンク１１入口に接触し難く搭載し易い。また、接触により損傷しない。【選択図】　　　　図１
2004124919.tif 000002
【特許請求の範囲】
【請求項１】
燃料ポンプの直径方向に燃料入口が開口され、前記燃料入口を覆うフィルタが装着される燃料ポンプにおいて、前記フィルタが前記燃料ポンプの軸方向から装着されるとともにフィルタ部がポンプ部外周を包囲するよう構成されたことを特徴とする内燃機関の燃料ポンプ。
【請求項２】
前記フィルタを構成するフィルタ本体が前記燃料ポンプのポンプ部外周に、燃料ポンプの下側から軸方向に嵌合するよう構成されたことを特徴とする請求項１記載の内燃機関の燃料ポンプ。
【請求項３】
前記フィルタ底部の燃料ポンプ対応位置に少なくとも一箇所の当接部を設けたことを特徴とする請求項１または２記載の内燃機関の燃料ポンプ。
【発明の詳細な説明】
【０００１】
【発明の属する技術分野】
本発明は内燃機関の燃料ポンプに関し、詳しくは、燃料タンク内への搭載性を向上させることができる燃料ポンプに関するものである。
【０００２】
【従来の技術】
燃料吸入口がインペラの直径方向に設けられた燃料ポンプのフィルタ取付構造については、燃料吸込孔をエンドカバーのインペラ直径方向に設けるとともに、この燃料吸込孔にストレーナ（フィルタ）を吸込孔とほぼ平行となるように嵌合し、且つインペラのエンドカバー側に面する下端面とストレーナの下面とをほぼ同一高さに構成する方法が公開されている（例えば、特許文献１）。
【０００３】
【特許文献１】
実開昭６３−１５１９９１号公報（図１，２，３参照）
【０００４】
【発明が解決しようとする課題】
しかしながら、前記構成のフィルタの場合は、燃料ポンプの外径寸法に加えてフィルタの長さ寸法が加わり横に長く、燃料タンクの上面開口部径より大きくなるため、燃料ポンプを傾斜させながら燃料タンクの上面開口部から燃料タンク内に挿入する際、フィルタが開口部に接触して搭載性が損なわれたり損傷したりするおそれがある。この問題は開口部径を拡大することで解消することはできるが、拡大した分、開口部のシール性が損なわれることになるので好ましくない。そこで本発明は、燃料タンクの開口部径を拡大することなく、燃料タンク内への搭載時にフィルタとタンク開口部とが接触し難く、搭載性の優れたフィルタ構造を有する燃料ポンプを提供することを課題とするものである。
【０００５】
【課題を解決するための手段】
前記課題の解決を目的としてなされた請求項１の発明は、燃料ポンプの直径方向に燃料入口が開口され、前記燃料入口を覆うフィルタが装着される燃料ポンプにおいて、前記フィルタが前記燃料ポンプの軸方向から装着されるとともにフィルタ部がポンプ部外周を包囲するよう構成されたことを特徴とする。また、請求項２の発明は、前記フィルタを構成するフィルタ本体が前記燃料ポンプのポンプ部外周に、燃料ポンプの下側から軸方向に嵌合するよう構成されたことを特徴とする。また、請求項３の発明は、前記フィルタ底部の燃料ポンプ対応位置に少なくとも一箇所の当接部を設けたことを特徴とする。
【０００６】
【作用】
上述のように、請求項１の発明においては、フィルタが燃料ポンプの軸方向から装着されるとともにフィルタ部がポンプ部外周を包囲するよう構成されているので、従来に比べ横方向の長さが短くなり燃料タンクへの搭載時に、フィルタ部が燃料タンク入口に接触し難く搭載し易い。また、請求項２の発明においては、フィルタが燃料ポンプのポンプ部外周に嵌合するよう構成されているので、下側から嵌合するように構成することにより、燃料タンクの底部に載置された後はフィルタが燃料ポンプから外れない。また、請求項３の発明においては、フィルタ底部の燃料ポンプ対応位置に少なくとも一箇所の当接部を設けたので、燃料タンク底部に載置された時、当接部が燃料タンク底部に当接する。そのため、フィルタ部の底部が直接燃料ポンプおよび燃料タンク底部に接触しない。
【０００７】
【発明の実施の形態】
本発明の望ましい実施形態について図面を参照して説明する。図１は本発明の一実施形態に係る燃料ポンプの縦断面図である。図１において、燃料ポンプ１を構成するケース２内下部に２つのケーシング３，４が重合して配設されている。下のケーシング４の重合面には凹部が刳り抜かれており、凹部にはインペラ５が遊嵌されている。インペラ５はモータ６の回転軸６ａに係合しモータ６の回転により凹部内で回転するよう構成されている。インペラ５の両側の円盤面全周には複数の羽根５ａが刻設されている。
【０００８】
ケーシング３，４の羽根５ａに対応する位置には主流路３ａ，４ａが刻設され羽根５ａとでポンプ部を構成している。主流路３ａ，４ａの一端には燃料ポンプ１外の燃料を主流路３ａ，４ａに導くための導入通路３ｂ，４ｂが設けられ燃料入口を構成している。主流路３ａ，４ａの他端は２つの主流路３ａ，４ａを合流して導出通路３ｃが設けられ排出口３ｄから燃料ポンプ１の内部通路１ａに開口する。ケース２の上部にはアッパーカバー７が設けられモータ６の一端を軸支するとともにモータ６周辺を通過した燃料を外部に吐出するための吐出口７ａが設けられている。
【０００９】
燃料ポンプ１のポンプ部１ｂ外周にはフィルタ８が装着されている。フィルタ８は合成樹脂製のフィルタ本体９と一体的に同時成形されたフィルタ部１０とで構成されている。フィルタ本体９は有底の円筒状に形成され燃料ポンプ１の下側から導入通路３ｂ、４ｂを覆って燃料ポンプ１の軸方向に気密を保持して嵌合されている。導入通路３ｂ、４ｂに対応するフィルタ本体９の位置には燃料を通過させるための開口部９ａが穿設されている。フィルタ部１０は合成樹脂製または金属製のメッシュにより構成される。フィルタ部１０はポンプ部１ｂ外周を取り囲んで略円形に形成されている。フィルタ部１０の外径寸法は燃料タンク１１の開口部１１ｂ径寸法より小さくなるよう構成されている。なお、フィルタ８はフィルタ本体９の円筒部の一部を開口させ、フィルタ部１０もフィルタ本体９に倣って半月状に形成し、燃料ポンプ１の軸方向に対して直角方向からポンプ部１ｂ外周に嵌合させるようにしても同様の効果を奏する。
【００１０】
フィルタ部１０の底部の燃料ポンプ１に対応する位置には当接部９ｂがフィルタ本体９に一体的に設けられている。燃料ポンプ１が燃料タンク１１に搭載されたとき、当接部９ｂが燃料タンク１１の底部１１ａに当接し、フィルタ部１０が燃料タンク１１の底部１１ａおよびフィルタ本体９に直接接触しないよう構成されている。なお、本実施形態においては当接部９ｂが一箇所であるが燃料ポンプ１の座りが良いように複数箇所に設けてもよい。上記から、燃料ポンプ１は燃料タンク１１の上面開口部１１ｂから挿入する際、傾斜させながら挿入する必要がなく上から真直ぐに挿入することができる。そのため、フィルタ部１０と開口部１１ｂとは挿入時に接触し難くなる。
【００１１】
【発明の効果】
本発明は上述のように構成されているので以下の効果を奏する。すなわち、請求項１の発明においては、従来に比べフィルタを含む燃料ポンプ全体の横方向の長さが短くなるので、燃料タンクへの搭載時に燃料ポンプ自体を傾斜させて挿入する必要がなく、フィルタ部が燃料タンク入口に接触し難く搭載性が向上し、フィルタの損傷も抑制される。また、請求項２の発明においては、下側から嵌合するよう構成されているため、燃料タンクの底部に載置された後はフィルタが燃料ポンプから外れない。また、請求項３の発明においては、燃料タンク底部に載置された時、当接部が燃料タンク底部に当接しフィルタ部が燃料タンクの底部およびフィルタ本体に直接接触しないので、フィルタ部が損傷しない。
【図面の簡単な説明】
【図１】本発明の一実施形態に係る燃料ポンプの縦断面図である。
【符号の説明】
１　　燃料ポンプ
１ｂ　ポンプ部
３ｂ　導入通路
４ｂ　導入通路
８　　フィルタ
９　　フィルタ本体
９ｂ　当接部
１０　　フィルタ部
【図１】
2004124919.tif 000003